(57)【要約】【課題】  蓄電装置の構成の変更を容易化し、中古のバッテリモジュールの劣化状態を精度良く推定可能にすることで、バッテリモジュールの利用及び流通を促進するマイクロバッテリ、蓄電装置及びマイクロバッテリシステムを提供する。【解決手段】  マイクロバッテリ１は、バッテリモジュール１１と、マイクロインバータ１２と、バッテリモジュール１１の充電及び放電を検出することで得られる充放電履歴情報を含む充放電データを生成するデータ取得部１３と、充放電データを記録するデータ記録部１４と、を備える。このマイクロバッテリ１は、バッテリモジュール１１、マイクロインバータ１２、データ取得部１３及びデータ記録部１４が一体化されているとともに、蓄電装置Ｂに対して一体的に着脱自在である。【選択図】  図１
2017130417.tif 000002
【特許請求の範囲】
【請求項１】
共通の電力線に対して電気的に接続して１つの蓄電装置を構成するマイクロバッテリであって、
直流電力を充電及び放電するバッテリモジュールと、
前記バッテリモジュールが放電する直流電力を変換して前記電力線に電力を出力するとともに、前記電力線から入力される電力を当該バッテリモジュールが充電する直流電力に変換する個別電力変換部と、
前記バッテリモジュールの充電及び放電を検出することで得られる充放電履歴情報を含む充放電データを生成するデータ取得部と、
前記充放電データを記録するデータ記録部と、を備え、
前記バッテリモジュール、前記個別電力変換部、前記データ取得部及び前記データ記録部が一体化されているとともに、前記蓄電装置に対して一体的に着脱自在となっていることを特徴とするマイクロバッテリ。
【請求項２】
前記データ取得部が、当該データ取得部が備えられている前記マイクロバッテリの使用環境の温度を測定することで得られる温度情報を含む前記充放電データを生成することを特徴とする請求項１に記載のマイクロバッテリ。
【請求項３】
前記データ記録部が、当該データ記録部が備えられている前記マイクロバッテリが備える前記バッテリモジュールの機種の情報を含む機種データを記録していることを特徴とする請求項１または２に記載のマイクロバッテリ。
【請求項４】
前記バッテリモジュール及び前記データ記録部は、前記マイクロバッテリに対して一体的に着脱自在となっていることを特徴とする請求項１〜３のいずれか１項に記載のマイクロバッテリ。
【請求項５】
ある前記蓄電装置から取り外された後であって別の前記蓄電装置に取り付けられる前の中古の前記マイクロバッテリが備える前記データ記録部に、所定の検査装置によって当該マイクロバッテリを検査することで得られる当該マイクロバッテリのリユース前の劣化状態の情報を含む検査データが記録されていることを特徴とする請求項１〜４のいずれか１項に記載のマイクロバッテリ。
【請求項６】
前記データ取得部が生成する前記充放電データに含まれる前記充放電履歴情報の中に、所定の条件を満たしているために重複しているとみなされる部分が存在する場合、前記データ記録部が記録する前記充放電データに含まれる前記充放電履歴情報は、その重複した部分の一部が削除または平均化されていることで情報量が削減された状態になっていることを特徴とする請求項１〜５のいずれか１項に記載のマイクロバッテリ。
【請求項７】
請求項１〜６のいずれか１項に記載の前記マイクロバッテリの複数が共通の前記電力線に対して電気的に接続して構成される蓄電装置であって、
前記マイクロバッテリが備える前記バッテリモジュールの充電及び放電を制御する充放電制御部を備え、
前記充放電制御部は、
所定の試験を行うために、前記蓄電装置に含まれる少なくとも１つの前記マイクロバッテリが備える前記バッテリモジュールを放電させる場合、当該蓄電装置に含まれる他の少なくとも１つの前記マイクロバッテリが備える前記バッテリモジュールを充電させ、
所定の試験を行うために、前記蓄電装置に含まれる少なくとも１つの前記マイクロバッテリが備える前記バッテリモジュールを充電させる場合、当該蓄電装置に含まれる他の少なくとも１つの前記マイクロバッテリが備える前記バッテリモジュールを放電させることを特徴とする蓄電装置。
【請求項８】
共通の電力線に対して電気的に接続して１つの蓄電装置を構成するマイクロバッテリの少なくとも１つと、前記マイクロバッテリから送信される充放電データを受信して記録するデータサーバと、を備え、
前記マイクロバッテリは、
直流電力を充電及び放電するバッテリモジュールと、
前記バッテリモジュールが放電する直流電力を変換して前記電力線に電力を出力するとともに、前記電力線から入力される電力を当該バッテリモジュールが充電する直流電力に変換する個別電力変換部と、
前記バッテリモジュールの充電及び放電を検出することで得られる充放電履歴情報を含む充放電データを生成するデータ取得部と、
前記データ取得部が生成する前記充放電データを送信するデータ送信部と、を備え、
前記バッテリモジュール、前記個別電力変換部、前記データ取得部及び前記データ送信部が一体化されているとともに、前記蓄電装置に対して一体的に着脱自在となっており、
前記データサーバは、
前記データ送信部が送信する前記充放電データを受信するデータ受信部と、
前記データ受信部が受信した前記充放電データを記録するデータベースと、を備えることを特徴とするマイクロバッテリシステム。
【請求項９】
前記データ取得部が、当該データ取得部が備えられている前記マイクロバッテリの使用環境の温度を測定することで得られる温度情報を含む前記充放電データを生成することを特徴とする請求項８に記載のマイクロバッテリシステム。
【請求項１０】
前記データ取得部が、当該データ記録部が備えられている前記マイクロバッテリが備える前記バッテリモジュールの機種の情報を含む前記充放電データを生成することを特徴とする請求項８または９に記載のマイクロバッテリシステム。
【請求項１１】
複数の前記マイクロバッテリが共通の前記電力線に対して電気的に接続して構成される蓄電装置の少なくとも１つが、当該マイクロバッテリが備える前記バッテリモジュールの充電及び放電を制御する充放電制御部を備えており、
前記充放電制御部は、
所定の試験を行うために、前記蓄電装置に含まれる少なくとも１つの前記マイクロバッテリが備える前記バッテリモジュールを放電させる場合、当該蓄電装置に含まれる他の少なくとも１つの前記マイクロバッテリが備える前記バッテリモジュールを充電させ、
所定の試験を行うために、前記蓄電装置に含まれる少なくとも１つの前記マイクロバッテリが備える前記バッテリモジュールを充電させる場合、当該蓄電装置に含まれる他の少なくとも１つの前記マイクロバッテリが備える前記バッテリモジュールを放電させることを特徴とする請求項８〜１０のいずれか１項に記載のマイクロバッテリシステム。
【請求項１２】
前記マイクロバッテリを複数備え、
前記データ取得部は、当該データ取得部が備えられている前記マイクロバッテリを識別するための識別情報を含む前記充放電データを生成して送信することを特徴とする請求項８〜１１のいずれか１項に記載のマイクロバッテリシステム。
【請求項１３】
前記データベースが記録している前記充放電データを用いて、利用者に提供するための利用者提供データを生成する利用者提供データ生成部を、さらに備え、
前記利用者提供データ生成部が、前記利用者に提供する前記利用者提供データを生成するために、少なくとも、当該利用者以外の第三者が使用する前記マイクロバッテリから得られた前記充放電データを用いることを特徴とする請求項１２に記載のマイクロバッテリシステム。
【請求項１４】
前記利用者提供データ生成部が、前記充放電データを前記バッテリモジュールの機種毎に区別して用いることで、特定の機種である前記バッテリモジュールの充放電性能を評価し、その評価結果の情報を含む前記利用者提供データを生成することを特徴とする請求項１３に記載のマイクロバッテリシステム。
【請求項１５】
前記利用者提供データ生成部が、
前記充放電データを前記バッテリモジュールの機種毎に区別して用いることで、前記バッテリモジュールの機種毎に使用状態と充放電性能との関係を表す劣化判定基準を生成し、
特定の中古のバッテリモジュールの機種及び使用状態が指定されると、当該中古のバッテリモジュールと同じ機種の前記劣化判定基準に対して、当該中古のバッテリモジュールの使用状態を照合することで、当該中古のバッテリモジュールの充放電性能を推定し、その推定結果の情報を含む前記利用者提供データを生成することを特徴とする請求項１３または１４に記載のマイクロバッテリシステム。
【請求項１６】
前記利用者提供データ生成部が、
前記充放電データを前記バッテリモジュールの機種毎に区別して用いることで、前記バッテリモジュールの機種毎に充放電性能を評価し、
特定の設置条件が指定されると、評価した前記バッテリモジュールの機種毎の充放電性能に基づいて、前記設置条件を満たす１または複数の前記バッテリモジュールの機種を選択し、その選択結果の情報を含む前記利用者提供データを生成することを特徴とする請求項１３〜１５のいずれか１項に記載のマイクロバッテリシステム。
【請求項１７】
前記データ取得部が、充電及び放電を検出する対象である前記バッテリモジュールの機種の情報を含む前記充放電データを生成し、
前記利用者提供データ生成部が、前記充放電データに含まれる前記バッテリモジュールの機種の情報に基づいて、前記充放電データが得られた前記マイクロバッテリが備える前記バッテリモジュールの機種を認識することを特徴とする請求項１３〜１６のいずれか１項に記載のマイクロバッテリシステム。
【請求項１８】
前記利用者提供データ生成部が、複数の前記マイクロバッテリの前記充放電データを比較することで、前記マイクロバッテリの異常の有無を判定し、その判定結果の情報を含む前記利用者提供データを生成することを特徴とする請求項１３〜１７のいずれか１項に記載のマイクロバッテリシステム。
【請求項１９】
前記データ取得部が生成する前記充放電データに含まれる前記充放電履歴情報の中に、所定の条件を満たしているために重複しているとみなされる部分が存在する場合、前記データベースが記録する前記充放電データに含まれる前記充放電履歴情報は、その重複した部分の一部が削除または平均化されていることで情報量が削減された状態になっていることを特徴とする請求項１２〜１８のいずれか１項に記載のマイクロバッテリシステム。
【請求項２０】
前記マイクロバッテリを使用するバッテリ使用者に提供するためのバッテリ使用者提供データを生成するバッテリ使用者提供データ生成部を、さらに備え、
前記バッテリ使用者提供データ生成部が、前記バッテリ使用者に提供する前記バッテリ使用者提供データを生成するために、少なくとも、当該バッテリ使用者が使用する前記マイクロバッテリから得られた前記充放電データを用いることを特徴とする請求項１２〜１９のいずれか１項に記載のマイクロバッテリシステム。
【請求項２１】
少なくとも１つの前記マイクロバッテリが、前記バッテリ使用者提供データ生成部が生成するバッテリ使用者提供データに含まれる、当該マイクロバッテリが備える前記バッテリモジュールの劣化状態を表す劣化情報を表示する劣化情報表示部を備えることを特徴とする請求項２０に記載のマイクロバッテリシステム。
【請求項２２】
中古の前記マイクロバッテリまたは中古の前記バッテリモジュールの市場価値を算出し、当該市場価値の情報を含む市場価値データを生成する市場価値評価部を、さらに備え、
前記市場価値評価部は、少なくとも前記マイクロバッテリから得られた前記充放電データに基づいて、当該マイクロバッテリまたは当該マイクロバッテリが備える前記バッテリモジュールの前記市場価値を算出することを特徴とする請求項８〜２１のいずれか１項に記載のマイクロバッテリシステム。
【請求項２３】
前記充放電データを一時的に記録する充放電データ一時記録部を、さらに備え、
前記データ送信部が前記データ受信部に対して前記充放電データを送信できない状況であると、前記充放電データ一時記録部が未送信の前記充放電データを記録し、その後、前記データ送信部が前記データ受信部に対して前記充放電データを送信できる状況になると、前記充放電データ一時記録部が記録した前記充放電データを前記データ送信部が前記データ受信部に対して送信することを特徴とする請求項８〜２２のいずれか１項に記載のマイクロバッテリシステム。
【請求項２４】
少なくとも１つの前記蓄電装置を構成する複数の前記マイクロバッテリの中に、備えている前記バッテリモジュールの機種が異なる複数の前記マイクロバッテリが含まれていることを特徴とする請求項８〜２３のいずれか１項に記載のマイクロバッテリシステム。
【発明の詳細な説明】
【技術分野】
【０００１】
本発明は、直流電力を充電及び放電するバッテリモジュールを備えたマイクロバッテリ、マイクロバッテリを備えた蓄電装置及びマイクロバッテリシステムに関する。
【背景技術】
【０００２】
近年、太陽光発電などによって発電した電力の貯蔵や、電力負荷のピークシフトなどを行うために、住宅やその他の施設に電力を蓄積する蓄電装置が設置されることが多くなってきている。このような蓄電装置は、直流電力を充電及び放電する少なくとも１つのバッテリセル（単電池）を接続して構成されるバッテリモジュールを、１または複数備えている。
【０００３】
バッテリモジュールは、充電及び放電の繰り返しに伴い劣化して、放電容量が次第に減少する。そのため、蓄電装置を使用するバッテリ使用者は、バッテリモジュールの放電容量が減少して、蓄電装置の動作に支障を来すようになると、バッテリモジュールの交換を行う。
【０００４】
交換によって蓄電装置から取り外された中古のバッテリモジュールは、放電容量が減少しているものの、充電及び放電は可能である。そのため、他のバッテリ使用者にとっては、中古のバッテリモジュールであっても、まだ十分に使用に耐え得る場合がある。また、資源を有効利用して廃棄物を削減する観点から、中古のバッテリモジュールは、可能な限りリユースすべきである。
【０００５】
ただし、中古のバッテリモジュールを含む複数のバッテリモジュールを使用して蓄電装置を構成する場合、それぞれのバッテリモジュールの放電容量に大きな差が生じることがある。この場合、全てのバッテリモジュールを一律に充電及び放電させると、最も放電容量が少ないバッテリモジュールが蓄電装置全体の充電及び放電の制限要因となるため、蓄電装置における見かけ上の放電容量が少なくなったり、期待した通りの直流電力が放電されなかったりするなどの問題が生じ得る。
【０００６】
そこで、特許文献１では、装置制御部が、中古のバッテリモジュールに関する情報を取得し、当該情報に基づいて個々のバッテリモジュールの充電及び放電を制御することによって、上記のような問題の発生を抑制する蓄電装置が提案されている。
【先行技術文献】
【特許文献】
【０００７】
【特許文献１】特開２０１４−１８７７３８号公報
【発明の概要】
【発明が解決しようとする課題】
【０００８】
しかしながら、特許文献１で提案されている蓄電装置は、１つのインバータに複数のバッテリモジュールを接続する構成である。そのため、当該蓄電装置では、当該インバータに適合する数及び容量のバッテリモジュールしか使用することができず、蓄電装置の構成の変更が困難であるという問題がある。
【０００９】
また、中古のバッテリモジュールは、前のバッテリ使用者の使用状態に応じて、１つずつ劣化状態が異なっている。そのため、リユース前に中古のバッテリモジュールを検査したり、リユース後に中古のバッテリモジュールの動作を監視したりするだけでは、中古のバッテリモジュールの劣化状態を精度良く推定することは困難である。特に、これらの方法では、中古のバッテリモジュールの将来的な劣化を予測することが困難であるため、リユースした中古のバッテリモジュールがその直後に使用不能になるという事態が頻発する可能性がある。そして、特許文献1で提案されている蓄電装置では、当該蓄電装置に組み込んだ後（即ち、リユース後）における中古のバッテリモジュールの動作を監視するだけであるため、中古のバッテリモジュールの劣化状態を精度良く推定することは困難である。
【００１０】
そして、蓄電装置の構成の変更が困難であることや、中古のバッテリモジュールの劣化状態を精度良く推定することができないことは、蓄電装置の導入や中古のバッテリモジュールのリユースを妨げる原因（即ち、バッテリモジュールの利用及び流通を妨げる原因）となる。
【００１１】
そこで、本発明は、蓄電装置の構成の変更を容易化し、中古のバッテリモジュールの劣化状態を精度良く推定可能にすることで、バッテリモジュールの利用及び流通を促進するマイクロバッテリ、蓄電装置及びマイクロバッテリシステムを提供することを目的とする。
【課題を解決するための手段】
【００１２】
上記目的を達成するため、本発明は、共通の電力線に対して電気的に接続して１つの蓄電装置を構成するマイクロバッテリであって、直流電力を充電及び放電するバッテリモジュールと、前記バッテリモジュールが放電する直流電力を変換して前記電力線に電力を出力するとともに、前記電力線から入力される電力を当該バッテリモジュールが充電する直流電力に変換する個別電力変換部と、前記バッテリモジュールの充電及び放電を検出することで得られる充放電履歴情報を含む充放電データを生成するデータ取得部と、前記充放電データを記録するデータ記録部と、を備え、前記バッテリモジュール、前記個別電力変換部、前記データ取得部及び前記データ記録部が一体化されているとともに、前記蓄電装置に対して一体的に着脱自在となっていることを特徴とするマイクロバッテリを提供する。
【００１３】
このマイクロバッテリによれば、それぞれがバッテリモジュール及び個別電力変換部を各別に備え、これらが一体化されるとともに蓄電装置に対して一体的に着脱自在となっている。そのため、１または複数のマイクロバッテリを用いて１つの蓄電装置を構成する場合において、後になって蓄電装置の放電容量を変更する必要が生じたとしても、蓄電装置を構成するマイクロバッテリの数を増減させるだけで、蓄電装置全体の放電容量及び電力変換容量を共に増減させて両者が適合した状態を維持することができる。したがって、蓄電装置の構成を容易に変更することが可能である。
【００１４】
さらに、このマイクロバッテリによれば、データ記録部が、バッテリモジュールの実際の使用履歴である充放電履歴情報を含む充放電データを記録する。そのため、当該充放電履歴情報を参照することで、リユースしようとするマイクロバッテリが備えるバッテリモジュールの劣化状態を精度良く推定することが可能になる。特に、中古のマイクロバッテリが備えるバッテリモジュールの将来的な劣化を予測することが可能になる。
【００１５】
また、上記のマイクロバッテリにおいて、前記データ取得部が、当該データ取得部が備えられている前記マイクロバッテリの使用環境の温度を測定することで得られる温度情報を含む前記充放電データを生成すると、好ましい。
【００１６】
このマイクロバッテリによれば、充放電データに含まれる温度情報を参照することで得られる、バッテリモジュールの劣化と強い相関があるマイクロバッテリの使用環境の温度に基づいて、バッテリモジュールの劣化状態をさらに精度良く推定することが可能になる。
【００１７】
また、上記のマイクロバッテリにおいて、前記データ記録部が、当該データ記録部が備えられている前記マイクロバッテリが備える前記バッテリモジュールの機種の情報を含む機種データを記録していると、好ましい。
【００１８】
このマイクロバッテリによれば、バッテリモジュールの劣化状態の推定に有益な情報である機種情報を含む機種データを、充放電データとともにデータ記録部に記録させることができる。
【００１９】
また、上記のマイクロバッテリにおいて、前記バッテリモジュール及び前記データ記録部は、前記マイクロバッテリに対して一体的に着脱自在となっていると、好ましい。
【００２０】
このマイクロバッテリによれば、バッテリモジュールの劣化状態を推定する際に利用される充放電データを記録したデータ記録部が、当該バッテリモジュールと離れて紛失し易い状態になることを、防止することが可能になる。
【００２１】
また、上記のマイクロバッテリにおいて、ある前記蓄電装置から取り外された後であって別の前記蓄電装置に取り付けられる前の中古の前記マイクロバッテリが備える前記データ記録部に、所定の検査装置によって当該マイクロバッテリを検査することで得られる当該マイクロバッテリのリユース前の劣化状態の情報を含む検査データが記録されていると、好ましい。
【００２２】
このマイクロバッテリによれば、検査データをデータ記録部に記録することで、リユースの前後において検査データを参照することが可能になるため、バッテリモジュールの劣化状態を容易に把握することが可能になる。
【００２３】
また、上記のマイクロバッテリにおいて、前記データ取得部が生成する前記充放電データに含まれる前記充放電履歴情報の中に、所定の条件を満たしているために重複しているとみなされる部分が存在する場合、前記データ記録部が記録する前記充放電データに含まれる前記充放電履歴情報は、その重複した部分の一部が削除または平均化されていることで情報量が削減された状態になっていると、好ましい。
【００２４】
このマイクロバッテリによれば、充放電履歴情報の情報量を削減することができるため、膨大になり得る充放電データのデータ量を可能な限り削減することが可能になる。
【００２５】
また、本発明は、上記のマイクロバッテリの複数が共通の前記電力線に対して電気的に接続して構成される蓄電装置であって、前記マイクロバッテリが備える前記バッテリモジュールの充電及び放電を制御する充放電制御部を備え、前記充放電制御部は、所定の試験を行うために、前記蓄電装置に含まれる少なくとも１つの前記マイクロバッテリが備える前記バッテリモジュールを放電させる場合、当該蓄電装置に含まれる他の少なくとも１つの前記マイクロバッテリが備える前記バッテリモジュールを充電させ、所定の試験を行うために、前記蓄電装置に含まれる少なくとも１つの前記マイクロバッテリが備える前記バッテリモジュールを充電させる場合、当該蓄電装置に含まれる他の少なくとも１つの前記マイクロバッテリが備える前記バッテリモジュールを放電させることを特徴とする蓄電装置を提供する。
【００２６】
この蓄電装置によれば、バッテリモジュールが充電及び放電する電力量が大きい試験を行ったとしても、蓄電装置の外部に与える影響（電力線における電力の変動）を抑制することが可能になる。
【００２７】
また、本発明は、共通の電力線に対して電気的に接続して１つの蓄電装置を構成するマイクロバッテリの少なくとも１つと、前記マイクロバッテリから送信される充放電データを受信して記録するデータサーバと、を備え、前記マイクロバッテリは、直流電力を充電及び放電するバッテリモジュールと、前記バッテリモジュールが放電する直流電力を変換して前記電力線に電力を出力するとともに、前記電力線から入力される電力を当該バッテリモジュールが充電する直流電力に変換する個別電力変換部と、前記バッテリモジュールの充電及び放電を検出することで得られる充放電履歴情報を含む充放電データを生成するデータ取得部と、前記データ取得部が生成する前記充放電データを送信するデータ送信部と、を備え、前記バッテリモジュール、前記個別電力変換部、前記データ取得部及び前記データ送信部が一体化されているとともに、前記蓄電装置に対して一体的に着脱自在となっており、前記データサーバは、前記データ送信部が送信する前記充放電データを受信するデータ受信部と、前記データ受信部が受信した前記充放電データを記録するデータベースと、を備えることを特徴とするマイクロバッテリシステムを提供する。
【００２８】
このマイクロバッテリシステムによれば、上述のマイクロバッテリと同様に、蓄電装置の構成を容易に変更することが可能であるとともに、リユースしようとするマイクロバッテリが備えるバッテリモジュールの劣化状態を精度良く推定することが可能である。
【００２９】
また、上記のマイクロバッテリシステムにおいて、前記データ取得部が、当該データ取得部が備えられている前記マイクロバッテリの使用環境の温度を測定することで得られる温度情報を含む前記充放電データを生成すると、好ましい。
【００３０】
このマイクロバッテリシステムによれば、充放電データに含まれる温度情報を参照することで得られる、バッテリモジュールの劣化と強い相関があるマイクロバッテリの使用環境の温度に基づいて、バッテリモジュールの劣化状態をさらに精度良く推定することが可能になる。
【００３１】
また、上記のマイクロバッテリシステムにおいて、前記データ取得部が、当該データ記録部が備えられている前記マイクロバッテリが備える前記バッテリモジュールの機種の情報を含む前記充放電データを生成すると、好ましい。
【００３２】
このマイクロバッテリシステムによれば、バッテリモジュールの劣化状態の推定に有益な情報である機種情報を、充放電データに含めてデータベースに記録することが可能になる。そのため、マイクロバッテリをリユースする際に、機種情報を容易かつ確実に入手することが可能になる。
【００３３】
また、上記のマイクロバッテリシステムにおいて、複数の前記マイクロバッテリが共通の前記電力線に対して電気的に接続して構成される蓄電装置の少なくとも１つが、当該マイクロバッテリが備える前記バッテリモジュールの充電及び放電を制御する充放電制御部を備えており、前記充放電制御部は、所定の試験を行うために、前記蓄電装置に含まれる少なくとも１つの前記マイクロバッテリが備える前記バッテリモジュールを放電させる場合、当該蓄電装置に含まれる他の少なくとも１つの前記マイクロバッテリが備える前記バッテリモジュールを充電させ、所定の試験を行うために、前記蓄電装置に含まれる少なくとも１つの前記マイクロバッテリが備える前記バッテリモジュールを充電させる場合、当該蓄電装置に含まれる他の少なくとも１つの前記マイクロバッテリが備える前記バッテリモジュールを放電させると、好ましい。
【００３４】
このマイクロバッテリシステムによれば、バッテリモジュールが充電及び放電する電力量が大きい試験を行ったとしても、蓄電装置の外部に与える影響（電力線における電力の変動）を抑制することが可能になる。
【００３５】
また、上記のマイクロバッテリシステムにおいて、前記マイクロバッテリを複数備え、前記データ取得部は、当該データ取得部が備えられている前記マイクロバッテリを識別するための識別情報を含む前記充放電データを生成して送信すると、好ましい。
【００３６】
このマイクロバッテリシステムによれば、マイクロバッテリシステムが複数のマイクロバッテリを備えることで、データベースに複数のマイクロバッテリの充放電データが記録されたとしても、それぞれの充放電データがどのマイクロバッテリから得られたものであるのかを識別することが可能になる。
【００３７】
また、上記のマイクロバッテリシステムにおいて、前記データベースが記録している前記充放電データを用いて、利用者に提供するための利用者提供データを生成する利用者提供データ生成部を、さらに備え、前記利用者提供データ生成部が、前記利用者に提供する前記利用者提供データを生成するために、少なくとも、当該利用者以外の第三者が使用する前記マイクロバッテリから得られた前記充放電データを用いると、好ましい。
【００３８】
このマイクロバッテリシステムによれば、利用者以外の第三者が使用するマイクロバッテリの充放電データを含めて充放電データを広く用いた利用者提供データが生成される。そのため、母数が多く一般化された充放電データに基づいた、偏りが小さく真実に近い情報を含む利用者提供データを生成することができる。
【００３９】
なお、マイクロバッテリを使用して充放電データを提供する者が「バッテリ使用者」であり、マイクロバッテリシステムが充放電データを用いて生成する利用者提供データを提供する相手が「利用者」であり、この点において両者は区別される。ただし、「バッテリ使用者」であって「利用者」である者も存在し得る。
【００４０】
また、上記のマイクロバッテリシステムにおいて、前記利用者提供データ生成部が、前記充放電データを前記バッテリモジュールの機種毎に区別して用いることで、特定の機種である前記バッテリモジュールの充放電性能を評価し、その評価結果の情報を含む前記利用者提供データを生成すると、好ましい。
【００４１】
このマイクロバッテリシステムによれば、充放電データをバッテリモジュールの機種毎に区別して用いて充放電性能を評価することで、バッテリモジュールの機種毎の現実的な使用環境下における充放電性能の評価結果を、容易に得ることができる。
【００４２】
また、上記のマイクロバッテリシステムにおいて、前記利用者提供データ生成部が、前記充放電データを前記バッテリモジュールの機種毎に区別して用いることで、前記バッテリモジュールの機種毎に使用状態と充放電性能との関係を表す劣化判定基準を生成し、特定の中古のバッテリモジュールの機種及び使用状態が指定されると、当該中古のバッテリモジュールと同じ機種の前記劣化判定基準に対して、当該中古のバッテリモジュールの使用状態を照合することで、当該中古のバッテリモジュールの充放電性能を推定し、その推定結果の情報を含む前記利用者提供データを生成すると、好ましい。
【００４３】
このマイクロバッテリシステムによれば、充放電データを記録していない（例えば、使用期間ぐらいしか分からない）中古のバッテリモジュールであっても、劣化判定基準に使用状態を照合することによって、充放電性能を精度良く推定することができる。
【００４４】
また、上記のマイクロバッテリシステムにおいて、前記利用者提供データ生成部が、前記充放電データを前記バッテリモジュールの機種毎に区別して用いることで、前記バッテリモジュールの機種毎に充放電性能を評価し、特定の設置条件が指定されると、評価した前記バッテリモジュールの機種毎の充放電性能に基づいて、前記設置条件を満たす１または複数の前記バッテリモジュールの機種を選択し、その選択結果の情報を含む前記利用者提供データを生成すると、好ましい。
【００４５】
このマイクロバッテリシステムによれば、現実に設置されている蓄電装置が備えるバッテリモジュールの充放電性能を踏まえた上で、指定された設置条件を満たす適切なバッテリモジュールの機種を選択して提案することができる。
【００４６】
また、上記のマイクロバッテリシステムにおいて、前記データ取得部が、充電及び放電を検出する対象である前記バッテリモジュールの機種の情報を含む前記充放電データを生成し、前記利用者提供データ生成部が、前記充放電データに含まれる前記バッテリモジュールの機種の情報に基づいて、前記充放電データが得られた前記マイクロバッテリが備える前記バッテリモジュールの機種を認識すると、好ましい。
【００４７】
このマイクロバッテリシステムによれば、利用者提供データ生成部が、充放電データを参照するのみで、当該充放電データが得られたマイクロバッテリが備えるバッテリモジュールの機種を認識することが可能になる。
【００４８】
また、上記のマイクロバッテリシステムにおいて、前記利用者提供データ生成部が、複数の前記マイクロバッテリの前記充放電データを比較することで、前記マイクロバッテリの異常の有無を判定し、その判定結果の情報を含む前記利用者提供データを生成すると、好ましい。
【００４９】
このマイクロバッテリシステムによれば、複数のマイクロバッテリの充放電データを比較することができるため、マイクロバッテリの異常を精度良く検出することができる
【００５０】
また、上記のマイクロバッテリシステムにおいて、前記データ取得部が生成する前記充放電データに含まれる前記充放電履歴情報の中に、所定の条件を満たしているために重複しているとみなされる部分が存在する場合、前記データベースが記録する前記充放電データに含まれる前記充放電履歴情報は、その重複した部分の一部が削除または平均化されていることで情報量が削減された状態になっていると、好ましい。
【００５１】
このマイクロバッテリシステムによれば、充放電履歴情報の情報量を削減することができるため、膨大になり得る充放電データのデータ量を可能な限り削減することが可能になる。
【００５２】
また、上記のマイクロバッテリシステムにおいて、前記マイクロバッテリを使用するバッテリ使用者に提供するためのバッテリ使用者提供データを生成するバッテリ使用者提供データ生成部を、さらに備え、前記バッテリ使用者提供データ生成部が、前記バッテリ使用者に提供する前記バッテリ使用者提供データを生成するために、少なくとも、当該バッテリ使用者が使用する前記マイクロバッテリから得られた前記充放電データを用いると、好ましい。
【００５３】
このマイクロバッテリシステムによれば、バッテリ使用者に対して有益なバッテリ使用者提供データを提供することができる。そのため、それぞれのバッテリ使用者による充放電データの提供の協力を見込むことが可能になる。
【００５４】
また、上記のマイクロバッテリシステムにおいて、少なくとも１つの前記マイクロバッテリが、前記バッテリ使用者提供データ生成部が生成するバッテリ使用者提供データに含まれる、当該マイクロバッテリが備える前記バッテリモジュールの劣化状態を表す劣化情報を表示する劣化情報表示部を備えると、好ましい。
【００５５】
このマイクロバッテリシステムによれば、マイクロバッテリの本体に劣化状態が表示されることで、中古のマイクロバッテリを流通させた場合に即座に価値が把握されることになる。そのため、中古のマイクロバッテリの流通を、さらに促進させることが可能になる。
【００５６】
また、上記のマイクロバッテリシステムにおいて、中古の前記マイクロバッテリまたは中古の前記バッテリモジュールの市場価値を算出し、当該市場価値の情報を含む市場価値データを生成する市場価値評価部を、さらに備え、前記市場価値評価部は、少なくとも前記マイクロバッテリから得られた前記充放電データに基づいて、当該マイクロバッテリまたは当該マイクロバッテリが備える前記バッテリモジュールの前記市場価値を算出すると、好ましい。
【００５７】
このマイクロバッテリシステムによれば、中古のマイクロバッテリまたはバッテリモジュールに対して、適正な市場価値を設定することができる。そのため、中古のマイクロバッテリまたはバッテリモジュールの取引市場（例えば、個人または業者が取引を行うウェブオークションなど）における流通を促進することが可能になる。
【００５８】
また、上記のマイクロバッテリシステムにおいて、前記充放電データを一時的に記録する充放電データ一時記録部を、さらに備え、前記データ送信部が前記データ受信部に対して前記充放電データを送信できない状況であると、前記充放電データ一時記録部が未送信の前記充放電データを記録し、その後、前記データ送信部が前記データ受信部に対して前記充放電データを送信できる状況になると、前記充放電データ一時記録部が記録した前記充放電データを前記データ送信部が前記データ受信部に対して送信すると、好ましい。
【００５９】
このマイクロバッテリシステムによれば、充放電データ一時記録部を備えて、未送信の充放電データを一時的に記録することによって、充放電データの送信機会が少なかったとしても、データ取得部からデータ受信部に対して確実に充放電データを送信することが可能になる
【００６０】
また、上記のマイクロバッテリシステムにおいて、少なくとも１つの前記蓄電装置を構成する複数の前記マイクロバッテリの中に、備えている前記バッテリモジュールの機種が異なる複数の前記マイクロバッテリが含まれていると、好ましい。
【００６１】
このマイクロバッテリシステムによれば、同じ蓄電装置を構成していることで使用環境が類似したマイクロバッテリが、異なる機種のバッテリモジュールを備えることになる。そのため、使用環境に起因する差異を抑制してバッテリモジュールの機種による充放電性能の差異を表した充放電履歴情報を含む充放電データを生成することが可能になる。即ち、バッテリモジュールの機種毎の動作試験及び充放電性能評価試験を行うことが可能になる。
【発明の効果】
【００６２】
上記特徴のマイクロバッテリ、蓄電装置及びマイクロバッテリシステムによれば、マイクロバッテリがバッテリモジュール及び個別電力変換部を備えて一体化されていることで、蓄電装置の構成の変更を容易にすることが可能になる。さらに、記録した充放電データに含まれる充放電履歴情報を参照することで、リユースしようとするマイクロバッテリが備えるバッテリモジュールの劣化状態を精度良く推定することが可能になる。したがって、バッテリモジュールの利用及び流通を促進することが可能になる。
【図面の簡単な説明】
【００６３】
【図１】本発明の第１実施形態に係るマイクロバッテリの構成の一例について示すブロック図。
【図２】図１に示したデータ取得部の構成の一例について示すブロック図。
【図３】本発明の第２実施形態に係るマイクロバッテリシステムの構成の一例について示すブロック図。
【図４】図３に示したデータ取得部の構成の一例について示すブロック図。
【図５】図３に示したデータサーバの構成の一例について示すブロック図。
【図６】本発明の第２実施形態に係るマイクロバッテリシステムにおけるマイクロバッテリの構成の別例について示すブロック図。
【発明を実施するための形態】
【００６４】
＜＜第１実施形態＞＞
本発明の第１実施形態について説明する。本発明の第１実施形態は、共通の交流電力線（電力線）に対して電気的に接続して１つの蓄電装置を構成するマイクロバッテリである。
【００６５】
まず、本発明の第１実施形態に係るマイクロバッテリの構成の一例について、図面を参照して説明する。図１は、本発明の第１実施形態に係るマイクロバッテリの構成の一例について示すブロック図である。
【００６６】
図１に示すように、マイクロバッテリ１は、バッテリモジュール１１と、マイクロインバータ１２（個別電力変換部）と、データ取得部１３と、データ記録部１４と、を備える。なお、図１では、交流電力線Ａに対して電気的に接続されている複数のマイクロバッテリによって構成される１つの蓄電装置Ｂを例示している。また、この交流電力線には、マイクロバッテリ１の他に、交流電力を消費する負荷や、交流電力を供給する発電装置（例えば、発電により得られた直流電力を交流電力に変換して出力するインバータを備えた太陽電池）が接続されていてもよいし、コンバータ等を介して系統と連系していてもよい。
【００６７】
１つのマイクロバッテリ１は、バッテリモジュール１１、マイクロインバータ１２、データ取得部１３及びデータ記録部１４を１つずつ備えており、これらを一体化した構造になっている。例えば、マイクロバッテリ１は、バッテリモジュール１１、マイクロインバータ１２、データ取得部１３及びデータ記録部１４を１つのパッケージ（筐体）内に収めることで一体化した構造になっている。また、それぞれのマイクロバッテリ１は、例えばピン型コネクタなどの着脱自在の形状のコネクタを有した構造になっており、蓄電装置Ｂ（特に、交流電力線Ａ）に対して一体的に着脱自在となっている。
【００６８】
バッテリモジュール１１は、直流電力を充電及び放電する少なくとも１つのバッテリセル（単電池）を接続して構成される。マイクロインバータ１２は、バッテリモジュール１１が放電する直流電力を交流電力に変換して交流電力線Ａに出力するとともに、交流電力線Ａから入力される交流電力を当該バッテリモジュール１１が充電する直流電力に変換する機器である。
【００６９】
マイクロインバータ１２は、交流電力線Ａの交流電力の状態を監視するとともに当該交流電力と同期して動作するための同期制御装置を備えている。そのため、図１に例示するように、交流電力線Ａを介して複数のマイクロバッテリ１を電気的に接続したとしても、交流電力の位相ズレを生じさせることなく、任意のマイクロバッテリ１のバッテリモジュール１１を充電及び放電させることができる。
【００７０】
データ取得部１３は、バッテリモジュール１１の充電及び放電を監視することで得られる充放電履歴情報を含む充放電データを生成する。なお、データ取得部１３の一部（例えば、後述の充放電検出部）が、マイクロインバータ１２やバッテリモジュール１１の一部と共通であってもよい。
【００７１】
ここで、データ取得部１３の構成の一例について、図面を参照して説明する。図２は、図１に示したデータ取得部の構成の一例について示すブロック図である。
【００７２】
図２に示すように、データ取得部１３は、充放電検出部１３１と、温度測定部１３２と、充放電データ生成部１３３と、を備える。
【００７３】
充放電検出部１３１は、例えば電圧計や電流計を備えており、バッテリモジュール１１の充電及び放電の有無やその大きさを検出することで充放電履歴情報を生成する。例えば、充放電検出部１３１は、バッテリモジュール１１の充電状態（充電率、ＳＯＣ：State of charge）を推定するために用いられる端子電圧や、バッテリモジュール１１が充電及び放電する直流電力の電流値を所定の時間間隔で検出することで、時系列の情報である充放電履歴情報を生成する。
【００７４】
充放電履歴情報は、バッテリモジュール１１の充電及び放電の大きさの情報に限らず、充電及び放電の回数の情報であってもよい。ただし、充放電履歴情報は、バッテリモジュール１１の劣化状態を精度良く推定することができる情報であると好ましい。例えば、充放電履歴情報が、バッテリモジュール１１の充電状態（例えば、端子電圧）に関する情報と、バッテリモジュール１１が充電及び放電した直流電力の大きさ（例えば、電流値）に関する情報と、を含むものであると、好ましい。
【００７５】
温度測定部１３２は、例えば温度センサを備えており、データ取得部１３が備えられているマイクロバッテリ１の使用環境の温度（例えば、マイクロバッテリ１のパッケージの内部または外部の温度や、バッテリモジュール１１の温度など）を測定することで温度情報を生成する。例えば、温度測定部１３２は、マイクロバッテリ１の使用環境の温度を所定の時間間隔で検出することで、時系列の情報である温度情報を生成する。
【００７６】
充放電データ生成部１３３は、例えばＣＰＵ（Central Processing Unit）などの演算装置及び半導体メモリなどの記憶装置で構成され、充放電検出部１３１が生成する充放電履歴情報と温度測定部１３２が生成する温度情報を含む充放電データを生成する処理を行う。
【００７７】
図１に戻る。データ記録部１４は、例えば半導体メモリなどのデータを記録可能な記録装置で構成され、データ取得部１３が生成する充放電データを記録する。また、データ記録部１４は、マイクロバッテリ１のリユース時に有用なデータも併せて記録していると、好ましい。例えば、データ記録部１４が、当該データ記録部１４が備えられているマイクロバッテリ１に関する機種データを記録していてもよい。
【００７８】
機種データには、少なくともバッテリモジュール１１の機種情報が含まれる。バッテリモジュール１１の機種情報とは、例えば、バッテリモジュール１１のメーカー、型式、バッテリセルの種類、公称の放電容量やバッテリセルの個数及び接続方式等の各種仕様、メーカー等によって提供される基本特性（例えば、メーカーが耐久試験などを行うことで求められる、充放電のサイクル数と放電容量の劣化との相関関係や、使用環境の温度と放電容量の劣化との相関関係など）の情報などである。これらの情報は、バッテリモジュール１１の劣化状態の推定に有益な情報である。
【００７９】
また、機種データには、必要に応じてマイクロインバータ１２の機種情報も含まれ得る。マイクロインバータ１２の機種情報とは、例えば、マイクロインバータ１２のメーカー、型式、公称の変換効率等の各種仕様、メーカー等によって提供される基本特性（例えば、メーカーが耐久試験などを行うことで求められる、使用期間と変換効率の劣化との相関関係、使用環境の温度と変換効率の劣化との相関関係など）の情報などである。これらの情報は、マイクロインバータ１２の劣化状態の推定に有益な情報である。
【００８０】
また、図１に示すように、蓄電装置Ｂは、当該蓄電装置Ｂを構成するそれぞれのマイクロバッテリ１の動作を制御するバッテリコントローラＣ（充放電制御部）を備える。バッテリコントローラＣは、ＣＰＵなどの演算装置及び半導体メモリなどの記憶装置とで構成され、所定の動作方針（例えば、劣化が進行していないバッテリモジュール１１ほど優先的に充電及び放電させるなど）に従って、それぞれのバッテリモジュール１１が充電及び放電するタイミングを決定する。さらに、バッテリコントローラＣは、無線または有線で、それぞれのマイクロバッテリ１に対して充電及び放電を指示する。
【００８１】
以上のように、本発明の第１実施形態に係るマイクロバッテリ１は、それぞれがバッテリモジュール１１及びマイクロインバータ１２を各別に備え、これらが一体化されるとともに蓄電装置Ｂに対して一体的に着脱自在となっている。そのため、１または複数のマイクロバッテリ１を用いて蓄電装置Ｂを構成する場合において、後になって蓄電装置Ｂの放電容量を変更する必要が生じたとしても、蓄電装置Ｂを構成するマイクロバッテリ１の数を増減させるだけで、蓄電装置Ｂ全体の放電容量及びインバータ容量を共に増減させて両者が適合した状態を維持することができる。したがって、このマイクロバッテリ１を用いることで、蓄電装置Ｂの構成の変更を容易にすることが可能になる。
【００８２】
さらに、このマイクロバッテリ１は、データ記録部１４が、バッテリモジュールの実際の使用履歴である充放電履歴情報を含む充放電データを記録する。そのため、当該充放電履歴情報を参照することで、リユースしようとするマイクロバッテリ１が備えるバッテリモジュール１１の劣化状態を精度良く推定することが可能になる。特に、中古のマイクロバッテリ１が備えるバッテリモジュール１１の将来的な劣化を予測することが可能になる。
【００８３】
したがって、本発明の第１実施形態に係るマイクロバッテリ１によれば、蓄電装置Ｂの構成の変更が容易になり、中古のバッテリモジュール１１の劣化状態を精度良く推定することができるため、バッテリモジュール１１の利用及び流通を促進することが可能になる。例えば、マイクロバッテリ１（バッテリモジュール１１）の供給者が、バッテリ使用者の都合による追加及び返却の要望に応じる条件付きでマイクロバッテリ１をバッテリ使用者にリース（貸付）する契約や、劣化状態に応じた価格での下取りオプション（買取保証）の特約を付してバッテリ使用者にマイクロバッテリ１を譲渡する契約など、バッテリ使用者がマイクロバッテリ１を導入し易い条件の契約を用意することが可能になる。
【００８４】
また、バッテリモジュール１１の劣化は、マイクロバッテリ１の使用環境の温度（例えば、バッテリモジュール１１の温度）と強い相関がある。そのため、充放電データに含まれる温度情報を参照することで、バッテリモジュール１１の劣化状態をさらに精度良く推定することが可能になる。
【００８５】
さらに、本発明の第１実施形態に係るマイクロバッテリ１は、マイクロバッテリ１の内部に備えられるデータ記録部１４に、充放電データなどの劣化状態を推定するために用いられる各種データが記録される。即ち、このマイクロバッテリ１がリユースされる場合、当該マイクロバッテリ１と各種データとが一体となって流通することになる。そのため、マイクロバッテリ１を受け取った任意の者に対して、バッテリモジュール１１（さらには、マイクロインバータ１２）の劣化状態を推定可能にさせることができる。
【００８６】
なお、中古のマイクロバッテリ１をそのままリユースせずに、マイクロインバータ１２を取り外したバッテリモジュール１１のみをリユースしてもよいし、マイクロインバータ１２を新品等に交換したマイクロバッテリ１をリユースしてもよい。このようなリユース方法であっても、充放電データに基づいてバッテリモジュール１１の劣化状態を精度良く推定することができるため、リユース直後にバッテリモジュール１１が使用不能になるというような問題が生じることを抑制することができる。
【００８７】
ただし、このようなリユース方法が行われ得ることを前提とする場合、マイクロバッテリ１に対してバッテリモジュール１１が着脱自在となる構造にすると、好ましい。さらに、バッテリモジュール１１の劣化状態を推定する際に利用される充放電データを記録したデータ記録部１４が、当該バッテリモジュール１１と離れて紛失し易い状態になることを防止する観点から、バッテリモジュール１１及びデータ記録部１４を一体化して、バッテリモジュール１１及びデータ記録部１４がマイクロバッテリ１に対して一体的に着脱自在となる（マイクロインバータ１２をバッテリモジュール１１から取り外した場合に、データ記録部１４がバッテリモジュール１１側に残る）ようにすると、好ましい。
【００８８】
また、ある蓄電装置Ｂから使用済みの（中古の）マイクロバッテリ１を取り外して回収した後、別の蓄電装置Ｂに取り付けてリユースする前に、所定の検査装置（例えば、バッテリモジュール１１を満充電の状態にさせてから完全放電させることで放電容量を測定する試験や、パルス過充電試験、抵抗測定試験などの実測的な試験を自動的に行う装置）を用いてマイクロバッテリ１を検査することで当該マイクロバッテリの劣化状態の情報を得て、当該情報を含む検査データをデータ記録部１４に記録してもよい。さらにこのとき、当該検査装置が、検査対象のマイクロバッテリ１のデータ記録部１４に記録されている充放電データを読み出して、当該充放電データに含まれる充放電履歴情報や温度情報を参照することで、バッテリモジュール１１の劣化状態を推定してもよい。また、当該検査装置がこのような推定を行う場合、当該検査装置がマイクロバッテリ１に対して実測的な試験を行わなくてもよい。
【００８９】
このように、検査データをデータ記録部１４に記録することで、リユースの前後において検査データを参照することが可能になるため、バッテリモジュール１１の劣化状態を容易に把握することが可能になる。なお、この検査装置は、バッテリモジュール１１の検査だけでなく、マイクロインバータ１２を含むマイクロバッテリ１の全体の検査を行うように構成すると、好ましい。この場合、リユース前のマイクロバッテリ１の全体的な劣化状態を推定することができるとともに、不具合が発見された部分の交換も可能になる。
【００９０】
また、それぞれのマイクロバッテリ１が備えるバッテリモジュール１１が、通常の蓄電装置Ｂの動作として行う充電及び放電とは別に、所定の試験（例えば、満充電の状態から完全放電させることで放電容量を測定する試験や、パルス過充電試験、抵抗測定試験など）のための充電及び放電を行い、それによって得られる充放電データをデータ記録部１４が記録するようにしてもよい。このような試験を行って得られる充放電データが含む充放電履歴情報を参照することで、バッテリモジュール１１の劣化状態をさらに精度良く推定することが可能になる。
【００９１】
この場合において、蓄電装置Ｂに含まれる少なくとも１つのマイクロバッテリ１が備えるバッテリモジュール１１が、所定の試験を行うために放電すると、当該蓄電装置Ｂに含まれる他の少なくとも１つのマイクロバッテリ１が備えるバッテリモジュール１１が充電するようにすると、好ましい。この場合、当該試験を行うバッテリモジュール１１が放電する電力が、マイクロインバータ１２を介して交流電力線Ａに供給されることになるが、これによって生じる交流電力線Ａにおける余剰の電力は、他のマイクロバッテリ１が備えるバッテリモジュール１１の充電によって吸収される。
【００９２】
同様に、蓄電装置Ｂに含まれる少なくとも１つのマイクロバッテリ１が備えるバッテリモジュール１１が、所定の試験を行うために充電すると、当該蓄電装置Ｂに含まれる他の少なくとも１つのマイクロバッテリ１が備えるバッテリモジュール１１が放電すると、好ましい。この場合、当該試験を行うバッテリモジュール１１が充電する電力が、マイクロインバータ１２を介して交流電力線Ａから取得されることになるが、これによって生じる交流電力線Ａにおける不足の電力は、他のマイクロバッテリ１が備えるバッテリモジュール１１の放電によって補填される。
【００９３】
このように、バッテリモジュール１１の充電及び放電を制御すると、バッテリモジュール１１が充電及び放電する電力量が大きい試験を行ったとしても、蓄電装置Ｂの外部に与える影響（交流電力線Ａにおける交流電力の変動）を抑制することが可能になる。なお、このようなバッテリモジュール１１の充電及び放電の制御は、バッテリコントローラＣによって行われ得る。また、試験のために充電または放電するバッテリモジュール１１の数と、それを吸収または補填する他のバッテリモジュール１１の数とが等しくなっていると、好ましい。
【００９４】
また、データ取得部１０が、温度測定部１３２を備えなくてもよい。即ち、充放電データに温度情報が含まれていなくてもよい。ただし、バッテリモジュール１１は、使用環境の温度が劣化に与える影響が大きい。そのため、バッテリモジュール１１の劣化状態を精度良く推定する観点からは、充放電データに温度情報が含まれていると、好ましい。
【００９５】
また、データ記録部１４が、マイクロバッテリ１の機種情報を含む機種データを記録しなくてもよい。ただし、マイクロバッテリ１の機種情報は、バッテリモジュール１１の劣化状態の推定に有益な情報である。そのため、マイクロバッテリ１をリユースする際に、このような有益な機種情報を容易かつ確実に入手するためには、機種情報を含む機種データを、充放電データとともにデータ記録部１４に記録させると、好ましい。さらに、データ記録部１４が機種データを記録している場合において、新しい機種情報が入手可能になれば、できるだけ早期に無線または有線の通信手段を用いるなどして、自動または手動で新たな機種情報を含む新たな機種データをデータ記録部１４に与え、データ記録部１４が当該新たな機種データを記録するようにすると、好ましい。
【００９６】
また、充放電履歴情報や温度情報、機種情報を参照することで、バッテリモジュール１１の劣化状態を推定するだけでなく、マイクロインバータ１２の劣化状態も推定することが可能である。
【００９７】
＜＜第２実施形態＞＞
本発明の第２実施形態について説明する。本発明の第２実施形態は、マイクロバッテリとデータサーバとを組み合わせたマイクロバッテリシステムである。なお、本発明の第２実施形態に係るマイクロバッテリシステムで用いられるマイクロバッテリや、当該マイクロバッテリを接続して構成される蓄電装置は、上述の第１実施形態で説明したマイクロバッテリ１や蓄電装置Ｂ（図１及び図２参照）と大部分が共通する。そこで、以下では、上述の第１実施形態に関する説明が、矛盾無き限り本発明の第２実施形態に係るマイクロバッテリシステムにも妥当するものとして省略し、上述の第１実施形態とは異なる部分について詳細に説明する。
【００９８】
まず、本発明の第２実施形態に係るマイクロバッテリシステムの構成の一例について、図面を参照して説明する。図３は、本発明の第２実施形態に係るマイクロバッテリの構成の一例について示すブロック図である。なお、図３では、マイクロバッテリシステム１０が、複数の蓄電装置ＢＸを構成する複数のマイクロバッテリ１Ｘを備えている場合について例示している。
【００９９】
図３に示すように、マイクロバッテリシステム１０は、マイクロバッテリ１Ｘと、データサーバ２と、を備える。また、マイクロバッテリ１Ｘは、バッテリモジュール１１と、マイクロインバータ１２と、データ取得部１３Ｘと、データ送信部１５と、を備える。
【０１００】
本発明の第２実施形態に係るマイクロバッテリシステム１０は、それぞれがデータ記録部１４を備えて充放電データを個別的に記録する本発明の第１実施形態に係るマイクロバッテリ１（図１参照）とは異なり、データサーバ２においてマイクロバッテリ１Ｘの充放電データを一括的に記録する。そのため、本発明の第２実施形態に係るマイクロバッテリシステム１０では、それぞれのマイクロバッテリ１Ｘが、データ記録部１４の代わりにデータ送信部１５を備えている。
【０１０１】
データ送信部１５は、例えば無線または有線でデータを受信する通信機器で構成され、データ取得部１３Ｘが生成した充放電データを所定のタイミング（例えば、数分毎、数時間毎、数日毎など）でデータサーバ２に対して送信する。なお、データ送信部１５及びデータサーバ２は、無線または有線で直接的に充放電データの送受信を行ってもよいが、例えばインターネット等のネットワークを介して充放電データの送受信を行うと、マイクロバッテリ１Ｘの設置場所とデータサーバ２の設置場所との距離が大きく離れていたとしても、容易に充放電データの送受信を行うことができるため、好ましい。
【０１０２】
データ送信部１５がネットワークを介して充放電データを送信する場合、ネットワークに接続可能なアクセスポイントに無線で接続して充放電データを送信すると、配線や装置の構成を簡略化することができるため、好ましい。また、データ送信部１５が、屋内等に固定的に設置されたアクセスポイントに接続して充放電データを送信してもよいが、そのようなアクセスポイントへの接続が困難である場合は、バッテリモジュール１Ｘを使用する個人の携帯端末（例えば、スマートフォン）をアクセスポイントとして利用して充放電データを送信してもよい。
【０１０３】
また、データ取得部１３Ｘの構成の一例について、図面を参照して説明する。図４は、図３に示したデータ取得部の構成の一例について示すブロック図である。
【０１０４】
図４に示すように、データ取得部１３Ｘは、充放電検出部１３１と、温度測定部１３２と、充放電データ生成部１３３Ｘと、付加情報記録部１３４と、を備える。
【０１０５】
付加情報記録部１３４は、例えば半導体メモリなどのデータを記録可能な記録装置で構成され、マイクロバッテリ１ＸのＩＤ（Identification）などの識別情報や、マイクロバッテリ１Ｘの機種情報を記録している。マイクロバッテリ１Ｘの識別情報は、例えば、データサーバ２において、受信した充放電データがどのマイクロバッテリ１Ｘの充放電データであるのかを識別するために用いられる。また、マイクロバッテリ１Ｘの機種情報は、第１実施形態において説明したマイクロバッテリ１の機種情報と同様である。
【０１０６】
充放電データ生成部１３３Ｘは、例えばＣＰＵなどの演算装置及び半導体メモリなどの記憶装置で構成され、充放電検出部１３１が生成する充放電履歴情報と、温度測定部１３２が生成する温度情報、付加情報記録部１３４が記録している識別情報及び機種情報を含む充放電データを生成する処理を行う。
【０１０７】
次に、データサーバ２の構成の一例について、図面を参照して説明する。図５は、図３に示したデータサーバの構成の一例について示すブロック図である。
【０１０８】
図５に示すように、データサーバ２は、データ受信部２１と、データベース２２と、データ処理部２３と、データ出力部２４と、バス２５と、を備える。
【０１０９】
データ受信部２１は、例えば無線または有線でデータを受信する通信機器で構成され、データ取得部１０が送信する充放電データを受信する。
【０１１０】
データベース２２は、例えばハードディスクなどの大容量のデータを記録可能な記録装置で構成され、データ受信部２１が受信する充放電データを記録する。なお、データベース２２は、データ受信部２１によって受信した充放電データをそのまま記録し得るし、データ処理部２３によって処理された充放電データも記録し得る。
【０１１１】
データ処理部２３は、例えばＣＰＵなどの演算装置及び半導体メモリなどの記憶装置で構成される。データ処理部２３（利用者提供データ生成部に相当）は、データベース２２から読み出した充放電データを用いて、利用者に対して提供する利用者提供データを生成する処理を行う。なお、データ処理部２３が利用者提供データを生成する処理については、後述の＜充放電データの活用＞において説明する。
【０１１２】
データ出力部２４は、例えば無線または有線でデータを送信する通信機器で構成され、データ処理部２３が生成した利用者提供データを利用者に対して送信する。なお、データ出力部２４及びデータ受信部２１を、共通の通信機器で構成してもよい。また、データ出力部２４を、利用者提供データを文字や画像として表示する表示装置として構成してもよいし、利用者提供データを文字や画像として印刷する印刷装置として構成してもよい。
【０１１３】
バス２５は、データ受信部２１、データベース２２、データ処理部２３及びデータ出力部２４のそれぞれが各種データをやり取りする際に使用される、データの通信路である。
【０１１４】
本発明の第２実施形態に係るマイクロバッテリシステム１０は、それぞれのマイクロバッテリ１Ｘから得られた充放電データがデータベース２２にまとめて記録される点で、本発明の第１実施形態に係るマイクロバッテリ１（図１及び図２参照）とは異なる。しかし、本発明の第２実施形態に係るマイクロバッテリシステム１０でも、それぞれのマイクロバッテリ１Ｘの充放電履歴情報、機種情報及び温度情報が得られるため、本発明の第１実施形態に係るマイクロバッテリ１（図１及び図２参照）と同様の効果が得られる。
【０１１５】
なお、データ取得部１０が、付加情報記録部１３４を備えていなくてもよい。また、充放電データが、識別情報または機種情報を含まなくてもよい。ただし、マイクロバッテリシステム１０が複数のマイクロバッテリ１Ｘを備えている場合は、少なくともデータベース２２に記録される充放電データがどのマイクロバッテリ１Ｘから得られた充放電データであるのかを識別可能にする必要がある。そのため、データ取得部１０が、識別情報を記録している付加情報記録部１３４を備えるとともに、充放電データが識別情報を含むようにすると、好ましい。
【０１１６】
また、データベース２２が、マイクロバッテリのＩＤなどの識別情報と機種情報とを関連付けたテーブルデータを記録して、充放電データに機種情報を含めないようにしてもよい。この場合、充放電データに含まれる識別情報に基づいて当該テーブルデータを照会することで、機種情報を認識することが可能になるから、充放電データに機種情報を含ませることが不要になる。
【０１１７】
＜充放電データの活用＞
本発明の第２実施形態に係るマイクロバッテリシステム１０では、データベース２２に、複数のマイクロバッテリ１Ｘの充放電データが記録され得る。この充放電データは、バッテリモジュール１１の劣化状態を推定する以外の用途にも利用可能な、利用価値が高いデータである。そこで、本発明の第２実施形態に係るマイクロバッテリシステム１０では、データベース２２に記録されている充放電データを利用して、様々な処理を行う。以下、この処理について説明する。
【０１１８】
以下では、マイクロバッテリ１Ｘ（蓄電装置ＢＸ）を使用して充放電データを提供する者を「バッテリ使用者」と称し、マイクロバッテリシステム１０が充放電データを用いて生成する利用者提供データを提供する相手を「利用者」と称して、両者を区別する。ただし、「バッテリ使用者」であって「利用者」である者も存在し得る。
【０１１９】
データ処理部２３は、データベース２２に記録されている充放電データを用いて、利用者提供データを生成する。このとき、データ処理部２３は、少なくとも、利用者以外の第三者が使用するマイクロバッテリ１Ｘから得られた充放電データを用いて、利用者提供データを生成する。即ち、データ処理部２３が生成する利用者提供データとは、個々のバッテリ使用者に対して当該バッテリ使用者が使用するマイクロバッテリ１Ｘの充放電状況などを報知するデータとは異なるデータである。
【０１２０】
例えば、データ処理部２３は、データベース２２に記録されている充放電データの中から利用者の要求に合致するものを選択的に抽出し、抽出した充放電データを利用者提供データとする。また例えば、データ処理部２３は、データベース２２に記録されている充放電データの中から利用者の要求に合致するものを選択的に抽出し、さらに抽出した充放電データに含まれる充放電履歴情報に対して所定の処理（例えば、統計処理）を施すことによって、利用者提供データを生成する。
【０１２１】
このとき、データ処理部２３は、充放電データに含まれる識別情報を参照することで、当該充放電データが得られたマイクロバッテリ１Ｘを識別する。また、データ処理部２３は、充放電データに含まれる機種情報を参照することで、当該充放電データが得られたマイクロバッテリ１Ｘが備えるバッテリモジュール１１の機種を認識する。また、データ処理部２３は、充放電データに含まれる温度情報を参照することで、当該充放電データが得られたマイクロバッテリ１Ｘにおける使用環境の温度を認識する。
【０１２２】
データ処理部２３は、利用者に応じて様々な利用者提供データを生成する。例えば、データ処理部２３は、バッテリモジュール１１（バッテリセル）や蓄電装置の製造事業者や設計・施工事業者のようなバッテリモジュール１１の充放電性能（例えば、放電容量やその劣化傾向、放電時の電圧低下特性など）に関心がある利用者に対して、バッテリモジュール１１の充放電性能に関する情報を含む利用者提供データを生成する。具体的に例えば、データ処理部２３は、充放電データをバッテリモジュール１１の機種毎に区別して用いる（例えば、特定の機種であるバッテリモジュール１１の充放電データのみを選択的に用いる、または、特定の機種であるバッテリモジュール１１の充放電データと比較用の少なくとも１つの機種であるバッテリモジュール１１の充放電データとを用いる）ことで、特定の機種であるバッテリモジュール１１の充放電性能を評価し、その評価結果を含む利用者提供データを生成する。このように、充放電データをバッテリモジュール１１の機種毎に区別して用いて充放電性能を評価することで、バッテリモジュール１１の機種毎の現実的な使用環境下における充放電性能の評価結果を、容易に得ることができる。
【０１２３】
また例えば、データ処理部２３は、メンテナンス事業者のような機器の異常に関心がある利用者に対して、機器の異常に関する情報を含む利用者提供データを生成する。具体的に例えば、データ処理部２３は、複数のマイクロバッテリ１Ｘから得られた充放電データを比較する（例えば、構成する蓄電装置が同じであったり、機種や使用環境の温度が同じか近似したりしている複数のマイクロバッテリ１Ｘの充放電データを比較する）ことで、マイクロバッテリ１Ｘの異常の有無を判定し、その判定結果の情報を含む利用者提供データを生成する。このように、複数のマイクロバッテリ１Ｘの充放電データを比較すると、マイクロバッテリ１Ｘの異常を精度良く検出することができる。
【０１２４】
また例えば、データ処理部２３は、営業・販売事業者のような蓄電装置の設置方法に関心がある利用者に対して、特定の設置条件に適した蓄電装置の設置方法に関する情報を含む利用者提供データを生成する。具体的に例えば、データ処理部２３は、営業・販売事業者やデータサーバ２のオペレータの入力によって指定される、蓄電装置の導入を検討している対象者における蓄電装置の設置条件（例えば、必要な放電容量、設置場所の大きさ、予算など）を認識する。また、データ処理部２３は、充放電データをバッテリモジュールの機種毎に区別して用いることで、バッテリモジュールの機種毎に充放電性能を評価する。そして、データ処理部２３は、評価した機種毎のバッテリモジュールの充放電性能に基づいて、指定された設置条件を満たす１または複数のバッテリモジュールの機種（特に、設置条件を満たすために必要なバッテリモジュールの機種と数）を選択し、その選択結果を含む利用者提供データを生成する。これにより、現実に設置されている蓄電装置が備えるバッテリモジュールの充放電性能を踏まえた上で、指定された設置条件を満たす適切なバッテリモジュールの機種を選択して提案することができる。
【０１２５】
また例えば、データ処理部２３は、リユース事業者のような中古のバッテリモジュールの残存する充放電性能に関心がある利用者に対して、特定の中古のバッテリモジュールの充放電性能に関する情報を含む利用者提供データを生成する。具体的に例えば、データ処理部２３は、充放電データをバッテリモジュールの機種毎に区別して用いることで、バッテリモジュールの機種毎に使用状態と充放電性能との関係を表す劣化判定基準を生成する。例えば、劣化判定基準は、バッテリモジュールの機種毎に充放電データを統計処理することで、使用期間や充放電のサイクル数などの使用状態と、それに伴って劣化する充放電性能との関係を推定したものであり、平均値や誤差範囲などを用いて表現される。また、データ処理部２３は、リユース事業者やデータサーバ２のオペレータの入力によって指定される、特定の中古のバッテリモジュールの機種及び使用状態を認識する。そして、データ処理部２３は、中古のバッテリモジュールと同じ機種の劣化判定基準に対して、当該中古のバッテリモジュールの使用状態を照合することで、当該中古のバッテリモジュールの充放電性能を推定し、その推定結果を含む利用者提供データを生成する。これにより、充放電データを記録していない（例えば、使用期間ぐらいしか分からない）中古のバッテリモジュールであっても、劣化判定基準に使用状態を照合することによって、充放電性能を精度良く推定することができる。なお、中古の蓄電装置の全体の使用状態は分かるが、当該蓄電装置を構成する複数のバッテリモジュールの個々の使用状態までは分からない場合は、当該蓄電装置を構成するバッテリモジュールの使用状態が等しいと仮定して、バッテリモジュールの個々の使用状態を求めればよい。また、劣化判定基準は、特定の機種であるバッテリモジュールの充放電性能の評価結果としても価値がある。そのため、データ処理部２３が、劣化判定基準を含む利用者提供データを生成してもよい。
【０１２６】
以上のように、本発明の実施形態に係るマイクロバッテリシステム１０では、データベース２２に記録された充放電データを用いて、利用者提供データとして有効利用することができる。
【０１２７】
特に、このマイクロバッテリシステム１０では、利用者以外の第三者が使用するバッテリモジュールの充放電データを含めて充放電データを広く用いた利用者提供データが生成される。そのため、母数が多く一般化された充放電データに基づいた、偏りが小さく真実に近い情報を含む利用者提供データを生成することができる。
【０１２８】
なお、データ処理部２３（バッテリ使用者提供データ生成部に相当）が、利用者に提供するための利用者提供データだけでなく、バッテリ使用者に提供するためのバッテリ使用者提供データを生成してもよい。例えば、バッテリ使用者は、自己が使用するバッテリモジュールやマイクロバッテリ、蓄電装置について関心があると考えられるため、データ処理部２３は、少なくとも、当該バッテリ使用者が使用するマイクロバッテリから得られた充放電データを用いてバッテリ使用者提供データを生成する。具体的に例えば、データ処理部２３が、バッテリ使用者が使用するマイクロバッテリが備えるバッテリモジュールの充電状態（ＳＯＣ）や、マイクロバッテリの異常の有無の判定結果の情報を含むバッテリ使用者提供データを生成してもよい。また、バッテリ使用者提供データも、利用者提供データと同様に、データ出力部２４を介してバッテリ使用者に提供される。
【０１２９】
このように、バッテリ使用者に対して有益なバッテリ使用者提供データを提供することによって、それぞれのバッテリ使用者による充放電データの提供の協力を見込むことが可能になる。
【０１３０】
＜＜変形等＞＞
［１］  本発明の第２実施形態に係るマイクロバッテリシステム１０において、データ送信部１５とデータサーバ２（データ受信部２１）がインターネット等のネットワークを介して充放電データの送受信を行う場合、データ送信部１５がアクセスポイント（個人の携帯端末を含む）と通信することができずに、データ送信部１５からデータ受信部２１に対して充放電データが送信されない事態が生じ易くなる。そこで、図６に示すように、マイクロバッテリの構成を変更してもよい。図６は、本発明の第２実施形態に係るマイクロバッテリシステムにおけるマイクロバッテリの構成の別例について示すブロック図である。
【０１３１】
図６に示すマイクロバッテリ１Ｙは、上述したマイクロバッテリ１Ｘ（図３参照）に加えて、充放電データ一時記録部１６を備える。充放電データ一時記録部１６は、例えば半導体メモリのようなデータを記録可能な記録装置で構成される。充放電データ一時記録部１６は、データ送信部１５がデータ受信部２１に対して送信できなかった充放電データを、その後にデータ送信部１５がデータ受信部２１に対して当該充放電データを送信できるようになるまで、一時的に記録する。なお、付加情報記録部１３４及び充放電データ一時記録部１６を、共通の記録装置で構成してもよい。
【０１３２】
このように、マイクロバッテリ１Ｙが充放電データ一時記録部１６を備えて、未送信の充放電データを一時的に記録可能な構成にすることによって、充放電データの送信機会が少なかったとしても、データ送信部１５からデータ受信部２１に対して確実に充放電データを送信することが可能になる。
【０１３３】
［２］  本発明の第２実施形態に係るマイクロバッテリシステム１０において、全ての蓄電装置ＢＸを構成する全てのマイクロバッテリ１Ｘが同じ機種のバッテリモジュール１１を備えていてもよいが、少なくとも１つの蓄電装置ＢＸを構成する複数のマイクロバッテリ１Ｘの中に、備えているバッテリモジュール１１の機種が相互に異なる複数のマイクロバッテリ１Ｘが含まれているように構成してもよい。
【０１３４】
このマイクロバッテリシステムでは、同じ蓄電装置ＢＸを構成していることで使用環境が類似したマイクロバッテリ１Ｘが、異なる機種のバッテリモジュール１１を備えることになる。そのため、使用環境に起因する差異を抑制してバッテリモジュール１１の機種による充放電性能の差異を表した充放電履歴情報を含む充放電データを生成することが可能になる。即ち、バッテリモジュール１１の機種毎の動作試験及び充放電性能評価試験を行うことが可能になる。
【０１３５】
［３］  本発明の第１実施形態に係るマイクロバッテリ１及び本発明の第２実施形態に係るマイクロバッテリシステム１０では、充放電履歴情報や温度情報が次々に生成されることから、その情報量は膨大になる。そのため、これらの情報の情報量を削減して、データ記録部１４やデータベース２２が記録する充放電データのデータ量を可能な限り削減すると、好ましい。
【０１３６】
そこで、例えば、データ取得部１３，１３Ｘが生成する充放電データに含まれる充放電履歴情報の中に、所定の条件を満たしているために重複しているとみなされる部分（例えば、充放電履歴情報が電流や電圧の時間変化を表した時系列の情報である場合において、時間的に連続する複数の測定点の変動幅が所定値以下である部分）が存在する場合、この重複している部分の一部を削除または平均化する処理を行うことで、データ記録部が記録する充放電データに含まれる充放電履歴情報の情報量を削減すると、好ましい。この処理は、例えば、データ処理部２３や、データ取得部１０における充放電データ生成部１３３，１３３Ｘが行い得る。また、温度情報についても、充放電履歴情報と同様に情報量を削減することができる。
【０１３７】
［４］  本発明の第１実施形態及び第２実施形態を、組み合わせて実施してもよい。即ち、マイクロバッテリが、データ記録部１４（図１参照）及びデータ送信部１５（図３参照）を共に備え、データ記録部１４が充放電データなどの各種データを記録するとともに、データサーバ２が備えるデータベース２２（図３及び図５参照）も充放電データを記録するように構成してもよい。
【０１３８】
［５］  本発明の第１実施形態に係るマイクロバッテリ１及び本発明の第２実施形態に係るマイクロバッテリシステム１０において、図１及び図３では、バッテリコントローラＣを備えた蓄電装置Ｂ，ＢＸを例示しているが、蓄電装置Ｂ，ＢＸがバッテリコントローラＣを備えない構成であってもよい。例えば、マイクロバッテリ１，１Ｘ（特に、バッテリモジュール１１やマイクロインバータ１２が内蔵する制御装置）が相互に通信を行うことで、それぞれのバッテリモジュール１１の充電及び放電を制御してもよい。この場合、蓄電装置Ｂ，ＢＸを構成するそれぞれのマイクロバッテリ１，１Ｘが、バッテリコントローラＣに代替する充放電制御部を備えていることになる。
【０１３９】
［６］  本発明の第１実施形態に係るマイクロバッテリ１及び本発明の第２実施形態に係るマイクロバッテリシステム１０において、中古のマイクロバッテリ１，１Ｘは、使用に耐え得る限り複数回にわたってリユースすることが可能である。例えば、中古のマイクロバッテリ１，１Ｘを回収してリユースする事業者が、回収したマイクロバッテリ１，１Ｘを自ら使用して、その後にリユースすることも可能である。ただし、このような状況でマイクロバッテリ１，１Ｘを使用する場合であっても、充放電データを記録し続けることで、バッテリモジュール１１の劣化状態を精度良く把握可能な状態にすると、好ましい。
【０１４０】
［７］  本発明の第１実施形態に係るマイクロバッテリ１及び本発明の第２実施形態に係るマイクロバッテリシステム１０において、図１及び図３では、蓄電装置Ｂ，ＢＸを構成するそれぞれのマイクロバッテリ１，１Ｘが、マイクロインバータ１２を備えて共通の交流電力線Ａに接続されているが、マイクロコンバータ（個別電力変換部）を備えて共通の直流電力線（電力線）に接続される構成にしてもよい。なお、この直流電力線には、マイクロバッテリ１，１Ｘの他に、直流電力を消費する負荷や、直流電力を供給する発電装置（例えば、太陽電池）が接続されていてもよいし、インバータ等を介して系統と連系していてもよい。
【０１４１】
また、マイクロバッテリ１，１Ｘが、マイクロインバータ１２及びマイクロコンバータの両方を備えており、交流電力及び直流電力を選択的に入出力可能な構成としてもよい。
【０１４２】
［８］  本発明の第２実施形態に係るマイクロバッテリシステム１０において、データ処理部２３（市場価値評価部）が、データベース２２に記録されている充放電データに基づいてマイクロバッテリ１Ｘまたはバッテリモジュール１１の市場価値を算出し、当該市場価値の情報を含む市場価値データを生成してもよい。市場価値とは、例えば取引価格（売買価格）である。
【０１４３】
例えば、データ処理部２３は、インターネット等のネットワークを介して、新品のマイクロバッテリ１Ｘまたは新品のバッテリモジュール１１の取引価格を取得する。さらに、データ処理部２３は、中古のマイクロバッテリ１Ｘから得られた充放電データに基づいて、当該マイクロバッテリ１Ｘまたは当該マイクロバッテリ１Ｘが備えるバッテリモジュール１１の劣化状態を推定し、当該マイクロバッテリまたはバッテリモジュール１１の新品での取引価格を当該劣化状態に応じて減額することで、中古のマイクロバッテリ１Ｘまたは中古のバッテリモジュール１１の市場価値を算出する。
【０１４４】
このマイクロバッテリシステム１０では、中古のマイクロバッテリ１Ｘまたはバッテリモジュール１１に対して、適正な市場価値を設定することができる。そのため、中古のマイクロバッテリ１Ｘまたは中古のバッテリモジュール１１の取引市場（例えば、個人または業者が取引を行うウェブオークションなど）における流通を促進することが可能になる。
【０１４５】
なお、バッテリ使用者による中古のマイクロバッテリ１Ｘまたは中古のバッテリモジュール１１の売却指示をデータサーバ２が受け付けて、データ処理部２３が、当該売却指示を受けて市場価値データを生成するとともに、取引市場となるウェブオークションを運営するウェブサーバに対して当該市場価値データを送信してもよい。さらに、この場合において、バッテリ使用者が売却指示を出した後にマイクロバッテリ１Ｘの使用を継続すれば、データ処理部２３が、データベース２２に記録される新たな充放電データを考慮に入れた新たな市場価値データを生成し、ウェブオークションを運営するウェブサーバに対して再送して市場価値（取引価格）を更新してもよい。
【０１４６】
また、本発明の第１実施形態に係るマイクロバッテリ１についても、上記と同様の方法で市場価値を算出して取引市場で取引することが可能である。ただし、データ記録部１４に記録されている充放電データや機種データ、検査データなどのデータに基づいて市場値が算出されるため、当該データを、データサーバ２のような市場価値を算出可能な所定のサーバに入力する（例えば、バッテリ使用者がマイクロバッテリ１から当該データを読み出して当該サーバに送信する）必要がある。
【０１４７】
［９］  本発明の第２実施形態に係るマイクロバッテリシステム１０において、マイクロバッテリ１Ｘが、液晶表示装置などの表示装置及び半導体メモリなどの記録装置で構成される劣化情報表示部を備えており、当該劣化情報表示部においてバッテリモジュール１１の劣化状態を表す劣化情報が表示されるようにしてもよい。
【０１４８】
表示部に表示される劣化情報とは、例えば、バッテリモジュール１１の現在の劣化した放電容量（残存する放電容量）や、上記［８］で述べた市場価値などである。例えば、データ処理部２３が、当該劣化情報を含むバッテリ使用者提供データを生成し、マイクロバッテリ１Ｘが当該バッテリ使用者提供データを受信したり、バッテリ使用者が当該バッテリ使用者提供データをマイクロバッテリ１Ｘに与えたりすることによって、当該劣化情報表示部が劣化情報を表示する。
【０１４９】
このマイクロバッテリシステム１０では、マイクロバッテリ１Ｘの本体に劣化状態が表示されることで、中古のマイクロバッテリ１Ｘを流通させた場合に即座に価値が把握されることになる。そのため、中古のマイクロバッテリ１Ｘの流通を、さらに促進させることが可能になる。
【０１５０】
なお、バッテリモジュール１１をマイクロバッテリ１Ｘから分離して流通させることも可能である。ただし、このような状況が生じることを想定すると、バッテリモジュール１１及び劣化情報表示部を一体化させて、バッテリモジュール１１及び劣化情報表示部がマイクロバッテリ１Ｘに対して一体的に着脱自在となるように構成すると、好ましい。
【０１５１】
また、本発明の第１実施形態に係るマイクロバッテリ１についても、上記と同様に劣化情報表示部を備える構成として本体に劣化情報を表示することが可能である。ただし、データ記録部１４に記録されている充放電データや機種データ、検査データなどのデータに基づいて劣化情報が生成されるため、当該データを、データサーバ２のような劣化情報を生成可能な所定のサーバに入力する（例えば、バッテリ使用者がマイクロバッテリ１から当該データを読み出して当該サーバに送信する）必要がある。
【０１５２】
また、本発明の第１実施形態に係るマイクロバッテリ１が、ＣＰＵなどの演算装置及び半導体メモリなどの記憶装置で構成され、データ記録部１４に記録されているデータに基づいて劣化情報を生成する劣化情報生成部を備えてもよい。この場合、マイクロバッテリ１が、自ら劣化情報を生成して表示することが可能になる。
【０１５３】
［１０］  本発明の第１実施形態に係るマイクロバッテリ１及び本発明の第２実施形態に係るマイクロバッテリシステム１０において、データ記録部１４（図１参照）及びデータベース２２（図５参照）が記録するデータは、改ざん等が行われていない公正なデータであることが必要である。そのため、データ記録部１４及びデータベース２２が記録するデータは、所定の暗号化方法によって暗号化されたものであると好ましい。なお、データの暗号化は、例えば、充放電データ生成部１３３，１３３Ｘ（図２及び図４参照）やデータ処理部２３（図５参照）が行い得る。
【産業上の利用可能性】
【０１５４】
本発明は、直流電力を充電及び放電するバッテリモジュールを備えたマイクロバッテリ、マイクロバッテリを備えた蓄電装置及びマイクロバッテリシステムに利用することができる。
【符号の説明】
【０１５５】
１，１Ｘ，１Ｙ  ：  マイクロバッテリ
１０    ：  マイクロバッテリシステム
１１    ：  バッテリモジュール
１２    ：  マイクロインバータ（個別電力変換部）
１３，１３Ｘ  ：  データ取得部
１３１  ：  充放電検出部
１３２  ：  温度測定部
１３３，１３３Ｘ  ：  充放電データ生成部
１４    ：  データ記録部
１５    ：  データ送信部
１６    ：充放電データ一時記録部
２      ：  データサーバ
２１    ：  データ受信部
２２    ：  データベース
２３    ：  データ処理部（利用者提供データ生成部、バッテリ使用者提供データ生成部、市場価値評価部）
２４    ：  データ出力部
２５    ：  バス
Ａ      ：  交流電力線（電力線）
Ｂ，ＢＸ  ：  蓄電装置
Ｃ      ：  バッテリコントローラ
【図１】
2017130417.tif 000003
【図２】
2017130417.tif 000004
【図３】
2017130417.tif 000005
【図４】
2017130417.tif 000006
【図５】
2017130417.tif 000007
【図６】
2017130417.tif 000008
【手続補正書】
【提出日】平成28年11月11日(2016.11.11)
【手続補正１】
【補正対象書類名】特許請求の範囲
【補正対象項目名】請求項１
【補正方法】変更
【補正の内容】
【請求項１】
共通の電力線に対して電気的に接続して１つの蓄電装置を構成するマイクロバッテリであって、
直流電力を充電及び放電するバッテリモジュールと、
前記バッテリモジュールが放電する直流電力を変換して前記電力線に電力を出力するとともに、前記電力線から入力される電力を当該バッテリモジュールが充電する直流電力に変換する個別電力変換部と、
前記バッテリモジュールの充電及び放電を検出することで得られる充放電履歴情報を含む充放電データを生成するデータ取得部と、
前記充放電データを記録するデータ記録部と、
前記バッテリモジュール、前記個別電力変換部、前記データ取得部及び前記データ記録部を内部に収めて一体化するとともに他のマイクロバッテリとは独立した筐体と、を備え、
前記蓄電装置に対して一体的に着脱自在となっていることを特徴とするマイクロバッテリ。
【手続補正２】
【補正対象書類名】特許請求の範囲
【補正対象項目名】請求項８
【補正方法】変更
【補正の内容】
【請求項８】
共通の電力線に対して電気的に接続して１つの蓄電装置を構成するマイクロバッテリの少なくとも１つと、前記マイクロバッテリから送信される充放電データを受信して記録するデータサーバと、を備え、
前記マイクロバッテリは、
直流電力を充電及び放電するバッテリモジュールと、
前記バッテリモジュールが放電する直流電力を変換して前記電力線に電力を出力するとともに、前記電力線から入力される電力を当該バッテリモジュールが充電する直流電力に変換する個別電力変換部と、
前記バッテリモジュールの充電及び放電を検出することで得られる充放電履歴情報を含む充放電データを生成するデータ取得部と、
前記データ取得部が生成する前記充放電データを送信するデータ送信部と、
前記バッテリモジュール、前記個別電力変換部、前記データ取得部及び前記データ送信部を内部に収めて一体化するとともに他のマイクロバッテリとは独立した筐体と、を備え、
前記マイクロバッテリは、前記蓄電装置に対して一体的に着脱自在となっており、
前記データサーバは、
前記データ送信部が送信する前記充放電データを受信するデータ受信部と、
前記データ受信部が受信した前記充放電データを記録するデータベースと、を備えることを特徴とするマイクロバッテリシステム。
【手続補正３】
【補正対象書類名】特許請求の範囲
【補正対象項目名】請求項１０
【補正方法】変更
【補正の内容】
【請求項１０】
前記データ取得部が、当該データ取得部が備えられている前記マイクロバッテリが備える前記バッテリモジュールの機種の情報を含む前記充放電データを生成することを特徴とする請求項８または９に記載のマイクロバッテリシステム。
【手続補正４】
【補正対象書類名】明細書
【補正対象項目名】００３１
【補正方法】変更
【補正の内容】
【００３１】
また、上記のマイクロバッテリシステムにおいて、前記データ取得部が、当該データ取得部が備えられている前記マイクロバッテリが備える前記バッテリモジュールの機種の情報を含む前記充放電データを生成すると、好ましい。